(57)【要約】      （修正有）【課題】防水パン上に設置されている家電品たる洗濯機を、該防水パンの前方へ安全に引き出すことを可能にする家電品の引出し台と移設台を提供する。【解決手段】台座上の家電品を該台座の前方へ引き出す際に用いられる引出し台１が、引出し台本体２と、引出し台本体２とは別体の延伸台３と、家電品を載せるためのキャリッジ４と、から構成され、引出し台本体２は、キャリッジ４を走行させるための走路２ａを有し、延伸台３は、キャリッジ４を走行させるための走路を有し、且つ引出し台本体２の走路２ａと該延伸台３の走路とが段差なく接続するように引出し台本体１に接続可能に構成されていることを特徴とする。更には、移設台を、概ね逆Ｕ字ブロック状の移設台本体１１と、操作体１２と、から構成して、概ね逆Ｕ字ブロック状の台座１４を添付する。【選択図】図９
2018027204.tif 000002
【特許請求の範囲】
【請求項１】
台座上の家電品を該台座の前方へ引き出す際に用いられる引出し台であって、
引出し台本体と、
上記引出し台本体とは別体の延伸台と、
家電品を載せるためのキャリッジと、から構成され、
上記引出し台本体は、上記キャリッジを走行させるための走路を有し、
上記延伸台は、上記キャリッジを走行させるための走路を有し、且つ上記引出し台本体の走路と該延伸台の走路とが段差なく接続するように上記引出し台本体に接続可能に構成されていることを特徴とする、家電品の引出し台。
【請求項２】
上記キャリッジは、少なくとも前後左右の四隅の脚を有する家電品の右側若しくは左側の片側のみの前後の脚を載置可能なスペースを有することを特徴とする請求項１に記載の家電品の引出し台。
【請求項３】
上記延伸台は、引出し台本体の一端に接続可能に構成され、且つ、接続部または接続部近傍を支点に、引出し台本体の上方へ回動可能に構成されていることを特徴とする請求項１に記載の家電品の引出し台。
【請求項４】
上記引出し台本体の走路および上記延伸台の走路は、上記キャリッジが上記引出し台本体の走路および上記延伸台の走路上を直線移動可能に構成されていることを特徴とする請求項１に記載の家電品の引出し台。
【請求項５】
上記引出し台本体に、移動用のキャスタが設けられていることを特徴とする請求項１に記載の家電品の引出し台。
【請求項６】
上記引出し台本体ないし上記延伸台に、台高調節用の高さ調節具が設けられていることを特徴とする請求項１に記載の家電品の引出し台。
【請求項７】
上記引出し台本体は、接続具によって２つ並列に接続可能に構成されていることを特徴とする請求項１に記載の家電品の引出し台。
【請求項８】
台座の上の家電品を、請求項１〜７のいずれかに記載の引出し台に移す際に用いられる移設台であって、
概ね逆Ｕ字ブロック状の移設台本体と、
移設台本体の一端から上方へ延びている操作体と、から構成され、
上記操作体は、移設台本体における空間通過方向の一方の上端ないし上端近傍に設けられていることを特徴とする、家電品の移設台。
【請求項９】
上記操作体は、少なくとも移設台本体の空間通過方向に可撓性を有していることを特徴とする請求項８に記載の家電品の移設台。
【請求項１０】
上記操作体は、概ね基部から移設台本体の空間通過方向へ折曲可能に構成されていることを特徴とする請求項８に記載の家電品の移設台。
【請求項１１】
上記移設台に、概ね逆Ｕ字ブロック状の台座が添付されていることを特徴とする請求項８に記載の家電品の移設台。
【発明の詳細な説明】
【技術分野】
【０００１】
本発明は、台座の上の家電品を台座の前方へ引き出す（移動させる）際や、新規の家電品を台座の上に設置する際に用いる引出し台と、主に台座上の家電品を引出し台に移す際に用いる移設台に関し、特に、防水パンの上に設置されている家電品たる洗濯機を該防水パンの前方へ引き出す際や、新規の洗濯機を防水パンの上に設置する際に用いる家電品の引出し台および家電品の移設台に関する。
【背景技術】
【０００２】
防水パンのメンテナンス作業をする際、作業の種類によっては防水パンの上から家電品たる洗濯機を防水パンの前方へ移動させてからでないと、メンテナンス作業を確実に行うことができないといった問題があった。
【０００３】
このため本出願人は、防水パンの上に設置されている重くて大きなドラム式の洗濯機でも、１人乃至２人で容易に防水パンの前方へ引き出すことができる洗濯機の引出し台を完成させた（特許文献１参照）。これにより、防水パンのメンテナンス作業（防水パンの交換、排水トラップの清掃や点検また交換、防水パン内の清掃や点検などである）を容易に実施できるようになった。
【０００４】
しかしながら、防水パンの上に設置されている洗濯機を、本出願人発明の洗濯機の引出し台を用いて実施する場合には、洗濯機を前側の左右の脚を支点に前傾させ（前傾姿勢）、この前傾させた状態のままで洗濯機を引出し台の所定の位置まで該引出し台上を移動させていた。
【０００５】
上述の、洗濯機を前側の左右の脚を支点に前傾させた状態（前傾姿勢）で引出し台上を所定の位置まで移動させるとき、洗濯機の脚あるいは該脚を乗せたスライド部材が常に引出し台上をスムースに移動するとは限らず、場合によっては、移動している最中に何らかの原因によって引っ掛かり、洗濯機前側の左右脚を支点に前傾した姿勢で移動している洗濯機がバランスを崩してしまう恐れがあった。
【先行技術文献】
【特許文献】
【０００６】
【特許文献１】特許第５３０２９０６号公報
【特許文献２】実用新案登録第３２０６０２２号
【発明の概要】
【発明が解決しようとする課題】
【０００７】
本発明は、防水パンの上に設置されている家電品たる洗濯機を、該防水パンの前方へ引き出す（移動させる）際や、新規の洗濯機を防水パンの上に設置する際に、安定した姿勢で行うことができる家電品の引出し台と、防水パン上の家電品たる洗濯機を引出し台に移す際や、引出し台上の洗濯機を防水パンの上に移す際に、安全に移すことができる家電品の移設台を提供できるようにすることを目的とする。
【課題を解決するための手段】
【０００８】
上述した課題を解決するため、本発明に係る家電品の引出し台は、台座上の家電品を該台座の前方へ引き出す際に用いられる引出し台であって、引出し台本体と、引出し台本体とは別体の延伸台と、キャリッジと、から構成され、引出し台本体は、キャリッジを走行させるための走路を有し、延伸台は、キャリッジを走行させるための走路を有し、且つ引出し台本体の走路と該延伸台の走路とが段差なく接続するように引出し台本体に接続可能に構成されていることを特徴とする。
【０００９】
一実施例においては、上記キャリッジは、少なくとも前後左右の四隅の脚を有する洗濯機や冷蔵庫などの家電品の、右側若しくは左側の片側のみの前後の脚を載置可能なスペースを有する。
【００１０】
また、上述の延伸台が、引出し台本体の一端に接続可能に構成され、且つ、接続部または接続部近傍を支点に、引出し台本体の上方へ回動可能に構成されていることを特徴とする。
【００１１】
また、上述の引出し台本体の走路および延伸台の走路は、キャリッジが、引出し台本体の走路および延伸台の走路上を直線移動可能に構成されていることを特徴とする。
【００１２】
また、上述の引出し台本体に、移動用のキャスタが設けられていることを特徴とする。
【００１３】
また、上述の引出し台本体ないし延伸台に、台高調節用の高さ調節具が設けられていることを特徴とする。
【００１４】
一実施例においては、引出し台本体は、接続具によって２つ並列に接続可能に構成されていることを特徴とする。
【００１５】
そして、本発明に係る家電品の移設台は、台座の上の家電品を、引出し台に移す際に用いる移設台であって、概ね逆Ｕ字ブロック状の移設台本体と、移設台本体の一端から上方へ延びている操作体と、から構成され、上記操作体は、移設台本体における空間通過方向の一方の上端ないし上端近傍に設けられていることを特徴とする。なお、上述の空間通過方向とは、概ね逆Ｕ字ブロック状の移設台本体を載置面に置いたとき、該載置面と移設台本体とにより形成される空間、所謂トンネルの内部の空間を指しているものであり、従って、該トンネル内を通過する方向である。
【００１６】
一実施例においては、操作体が、少なくとも移設台本体の空間通過方向に可撓性を有していることを特徴とする。
【００１７】
一実施例においては、操作体が、概ね基部から移設台本体の空間通過方向へ折曲可能に構成されていることを特徴とする。
【００１８】
また、上述の移設台に、概ね逆Ｕ字ブロック状の台座が添付されている（付属している）ことを特徴とする。
【発明の効果】
【００１９】
本発明の家電品の引出し台によれば、防水パン上で引出し台のキャリッジ（移動台座）の上に移された家電品たる洗濯機は、該洗濯機の前後左右の４脚でキャリッジの上に載置されるので、該キャリッジを操作して洗濯機を防水パンの前側に引き出すとき、引き出す速度にバラツキが生じても、該洗濯機を安全に引き出すことができる。
【００２０】
また、本発明の家電品の移設台によれば、防水パン上の洗濯機を引出し台のキャリッジの上に移す際や、キャリッジ上の洗濯機を防水パンの上に移す際に、安全に且つスムースに移すことができる。
【図面の簡単な説明】
【００２１】
【図１】本発明の家電品の引出し台が防水パンに設置された状態を示す斜視図。
【図２】引出し台における延伸台の動きの例を示す図。
【図３】防水パンに設置された引出し台を側方から見た図。
【図４】本発明に係る家電品の移設台および移設台の添付（付属）台座を示す図。
【図５】一実施例における移設台を防水パンの台座へ載置する過程を示す図。
【図６】移設台の他の実施例を示す図。
【図７】移設台の他の実施例を示す図。
【図８】移設台の拡大図。
【図９】移設台および添付台座を防水パンにセットした状態を示す斜視図。
【図１０】延伸台引起テープを備える引出し台を示す図。
【図１１−１】防水パン上の洗濯機を引き出す際の実施例を示す図。
【図１１−２】防水パン上の洗濯機を引き出す際の実施例を示す図。
【図１１−３】防水パン上の洗濯機を引き出す際の実施例を示す図。
【図１１−４】防水パン上の洗濯機を引き出す際の実施例を示す図。
【発明を実施するための形態】
【００２２】
本発明に係る家電品の引出し台および家電品の移設台について、添付の図面を参照しつつ具体例に基づいて以下に説明する。
【００２３】
なお、本実施例で説明する家電品の引出し台および家電品の移設台は、防水パン上に設置されている洗濯機を、該防水パンの前方へ移動させる場合を実施例として説明する。従って、引出し台本体は、接続具によって２つ並列に接続されている引出し台本体を有する引出し台を用いる。
【００２４】
また、引出し台の実施例を説明する図１および図３は、防水パンの上に載置される洗濯機の図示は省略している。
【００２５】
図１に示すように、家電品（洗濯機）の引出し台１は、引出し台本体２と、延伸台３と、キャリッジ４と、から構成されている。この図１は、防水パン５の前側における左右の台座５ａ、台座５ｂに、引出し台１の引出し台本体２をそれぞれ対応させて配置して、それぞれの引出し台１の引出し台本体２どうしが接続具６によって接続されている状態を示している。図１（ａ）は、キャリッジ４が引出し台本体２側に位置する状態を示し、図１（ｂ）は、キャリッジ４が延伸台３側に位置する状態を示している。なお、防水パン５の前方とは、引出し台１の引出し台本体２を設置する側とする。そして、キャリッジ４とは、移動する台座のことである。
【００２６】
そして、引出し台本体２は、該引出し台本体２の上面にキャリッジ４を載置して走行させるための走路２ａを有する。
【００２７】
また、引出し台本体２には、移動用のキャスタ２ｂが設けられていて、キャリッジ４に載る洗濯機が引出し台本体２の走路２ａ上に引出された際、所望により、引出し台本体２を移動できるようになっている。キャスタ２ｂの形態は特に限定するものではなく公知のものを用い、その種類としては、車輪の向きを自在に変えることができる自在キャスタ（旋回キャスタ）、車輪の向きが固定の固定キャスタ、車輪の向きを自在と固定に切り替えられる自在・固定切替キャスタ、ストッパ付きキャスタ、重量物用のキャスタなどが挙げられ、これらを適宜選定して用いればよい。
【００２８】
また、接続具６によって接続した２つの引出し台本体２の間を調節できるように、接続具６に長さの調節機能（例えば、入れ子）を設けたり、接続具６を引出し台本体２に取り付ける際の取り付け調節によって、接続した２つの引出し台本体２の間を調節できるようにするのがよい。
【００２９】
また、引出し台本体２には、該引出し台本体２の走路２ａ上に引出されたキャリッジ４を停止させておくための固定具７（図２を参照）の係合部２ｃが設けられている。そして、走路２ａの係合部２ｃ側には、該走路２ａからのキャリッジ４の脱落を防止する脱落防止具（例えば、壁）を設置しておくのがよい。
【００３０】
また、引出し台本体２には、該引出し台本体２を防水パン５の前方に停止させておくための床面固定具９が設けられている。
【００３１】
また、引出し台本体２は、台高を調節できるように構成してもよく、例えば、アジャスタやスクリュージャッキ等で、あるいは、上述のキャスタ２ｂ部に、台高調節機構を設けてもよい。該台高調節機構は、公知の技術（構造）を用いて構成すればよい。
【００３２】
そして、延伸台３は、該延伸台３の上面にキャリッジ４を載置して走行させるための走路３ａを有し、さらに、上述の引出し台本体２の一端に接続具３ｃによって接続できるようになっていて、接続された後には、引出し台本体２の走路２ａとこの延伸台３の走路３ａとが段差なく接続されるように構成されている。なお、延伸台３に台高調節用の高さ調節具（例えば、アジャスタやスクリュージャッキ等）を設けてもよい。そして、引出し台本体２の走路２ａとこの延伸台３の走路３ａとが段差なく接続される記述における接続とは、上述の接続具３ｃによる接続の他にも、接続具３ｃを用いないで引出し台本体２の走路２ａと延伸台３の走路３ａとをずれないように当接させている状態の場合も接続の一部であると解釈する（例えば、延伸台３を防水パン５に固定して引出し台本体２の走路２ａと延伸台３の走路３ａとがずれないようにする）。
【００３３】
また、延伸台３には、該延伸台３の走路３ａ上に位置させたキャリッジ４を停止させておくための固定部（図示は省略している）を設けるのが望ましい。この固定部は、引出し台本体２の走路２ａ上に引出されたキャリッジ４を停止させるために用いる固定具７（図２を参照）を兼用できる構造、例えば、固定具７のピンを挿入可能に構成した係合部とするのがよい。そして、走路３ａの洗濯機の後脚が載る奥側には、該走路３ａからのキャリッジ４の脱落を防止する脱落防止具を設置しておくのがよい。
【００３４】
また、本実施例の延伸台３は、図２参照のように、接続具３ｃによって引出し台本体２の一端に接続した状態のままで、接続部または接続部近傍を支点に、引出し台本体２の上方側へ回動できるように構成されている。
【００３５】
また、本実施例における並列に配置された２つの延伸台３の各々は、防水パン５の前後の台座５ａおよび台座５ｃと、台座５ｂおよび台座５ｄとの上面にそれぞれ載置される脚部３ｂの上部に走路３ａが設けられた形態であるが、この形態に限定しない。例えば、図示は省略するが、走路３ａ自体を延伸台３の本体として、各々の走路３ａを防水パン５の前後の台座５ａおよび台座５ｃと、台座５ｂおよび台座５ｄとの上面に架設してもよい。
【００３６】
そして、並列に配置された２つの引出し台１のうち、一方の引出し台１のキャリッジ４は、洗濯機の前後左右の脚のうち、右側若しくは左側の片側の脚のみを載置可能なスペースを有しており、従って、並列に接続する引出し台１の２つのキャリッジ４により、洗濯機を正立状態で載置（図２を参照）することができる。さらに、キャリッジ４は、引出し台本体２の走路２ａおよび延伸台３の走路３ａを進退移動する。図１（ａ）は、キャリッジ４が引出し台本体２側に移動している状態を示し、図１（ｂ）は、キャリッジ４が延伸台３側に移動している状態を示している。
【００３７】
また、本実施例のキャリッジ４は、図３に示すように、キャリッジ４の下部に車輪４ａが設けられていて、該車輪４ａによって引出し台本体２の走路２ａおよび延伸台３の走路３ａ上を進退移動する。なお、この形態に限定することなく、例えば、本実施例での図示は省略するが、キャリッジ４の底面に、ローラの設置／摩擦抵抗低減部材の設置／摩擦抵抗低減処理（加工）の実施をして、キャリッジ４がスムースに引出し台本体２の走路２ａおよび延伸台３の走路３ａ上を進退移動できるようにしてもよい。図３（ｂ）は、図３（ａ）のＡ部分の範囲を拡大して示している。
【００３８】
また、キャリッジ４の底面に、上述するようなローラの設置／摩擦抵抗低減部材の設置／摩擦抵抗低減処理（加工）をしないで、キャリッジ４の底面を摺動させて引出し台本体２の走路２ａおよび延伸台３の走路３ａ上を進退移動させる場合は、例えば、本実施例での図示は省略するが、引出し台本体２の走路２ａおよび延伸台３の走路３ａに、ローラの設置／摩擦抵抗低減部材の設置／摩擦抵抗低減処理（加工）をして、キャリッジ４がスムースに引出し台本体２の走路２ａおよび延伸台３の走路３ａ上を進退移動できるようにしてもよい。
【００３９】
また、本実施例のキャリッジ４は、引出し台本体２の走路２ａおよび延伸台３の走路３ａ上を直線移動できるように、引出し台本体２の走路２ａおよび延伸台３の走路３ａの幅員をキャリッジ４の車輪４ａの幅より少々広くすると共に、両側端が立ち上がる断面Ｕ字状の走路にしている。すなわち、走路の両側端の立ち上がり部によってキャリッジ４の下部の車輪４ａの進路が案内される。なお、この形態に限定することなく、例えば、本実施例での図示は省略するが、引出し台本体２の走路２ａおよび延伸台３の走路３ａに、キャリッジ４を案内するためのガイド（例えば、突条）／溝／レール等を設置して、これによってキャリッジ４が直線移動できるようにしてもよい。
【００４０】
そして、図４に示すように、本発明に係る家電品の移設台１０は、概ね逆Ｕ字ブロック状の移設台本体１１と、移設台本体１１の一端から上方に延伸する操作体１２と、から構成されている。上述の操作体１２は、移設台本体１１に設けられた空間１３の通過方向の一方の上面端１１ａに設けている。なお、操作体１２の上端には、移設台本体１１の向きを表示する方向表示突条１２ｂを設けている（図８の移設台の拡大図も参照）。図４（ａ）は、移設台１０を側方から見た図で、図４（ｂ）は、移設台１０を空間１３の開口方向から見た図である。
【００４１】
また、図４（ｃ）および図４（ｄ）は、上述の移設台１０に添付（付属）されている概ね逆Ｕ字ブロック状の台座１４を示す。図４（ｃ）は、台座１４を側方から見た図であり、図４（ｄ）は、台座１４を空間１５の開口方向から見た図である。
【００４２】
また、本実施例の操作体１２はロッド状のものであるが、特にこの操作体１２の形態も限定するものではなく、操作体１２を操作して移設台１０を防水パン５上に配置する際、操作に支障が生じなければ、特に操作体１２の形態を限定するものではない。
【００４３】
また、本実施例の操作体１２は、移設台本体１１の上面端１１ａに配置しているが、特にこの上面端１１ａに限定するものではなく、例えば、本実施例での図示は省略するが、移設台本体１１の上面端の近傍に設けたり、移設台本体１１の側面（周面）に設けてもよい。
【００４４】
また、本実施例での図示は省略するが、操作体１２を伸縮自在に構成したり、操作体１２自体を可撓素材で形成したり、そして、移設台本体１１に着脱自在に設けてもよい。
【００４５】
図５は、移設台１０の移設台本体１１と操作体１２とが、操作体１２の基部１２ａから折曲自在に構成されているものを示す。折曲方向は、移設台本体１１の上下方向に折曲（首振り）させ、そして、常に折曲可能としたり、公知技術によって構成したロック機構を解除することによって折曲可能としてもよい。
【００４６】
そして、図５（ａ）〜（ｄ）は、移設台１０を防水パン５の台座の上に載置する過程を示しており、図５（ａ）は、移設台１０の操作体１２を持ち、移設台本体１１を防水パン５の台座の上方に位置させた状態を示し、図５（ｂ）は、移設台１０（操作体１２）を降ろし、移設台本体１１の摺動端１１ｂを防水パン５の台座上に設置した状態を示し、図５（ｃ）は、更に移設台１０（操作体１２）を降ろし、移設台本体１１の摺動端１１ｂを防水パン５の台座上を矢印の方向に滑らせている状態を示し、図５（ｄ）は、防水パン５の台座上の定位置に載置（セット）された移設台１０の移設台本体１１を示している。
【００４７】
一実施例においては、上述した移設台１０の移設台本体１１と操作体１２とが、操作体１２の基部１２ａから折曲自在に構成されている場合には、防水パン５上の洗濯機の後脚を嵩上げする際、操作体１２の方向表示突条１２ｂを洗濯機の前後方向に合わせ、移設台１０を前傾させた洗濯機の後脚後方の防水パン５の台座上に降ろしていくことで、台座の上に接触した移設台本体１１が首を振りつつ移設台本体１１の摺動端１１ｂが防水パン５の台座上を滑っていき、防水パン５の台座上の定位置に載置（セット）される。すなわち、操作体１２を降ろしていくだけで載置（セット）を完了でき、そして洗濯機も必要以上に前傾させなくても済むので安全に作業を行える。
【００４８】
図６は、移設台本体１１の摺動端１１ｂを曲面にしているもので、該移設台本体１１の摺動端１１ｂを防水パン５の台座上を矢印の方向に滑らせるときに、スムースに滑るようにしている。なお、摺動端１１ｂに、摺動部材を取り付けたり突起や突状を設けて、摺動抵抗を低減させるようにしてもよい。
【００４９】
図７は、移設台１０の移設台本体１１の摺動端１１ｂに車輪１１ｃを設けたもので、該車輪１１ｃによって移設台本体１１をスムースに防水パン５の台座上の定位置に載置（セット）できるようにしたものである（図７（ａ）を参照）。この車輪１１ｃは、移設台本体１１が防水パン５の台座上の定位置に載置（セット）されたとき、車輪１１ｃの台座接地面が、移設台本体１１の底面と同一あるいは僅かに内方に位置するように構成する（図７（ｂ）を参照）。
【００５０】
そして、車輪１１ｃは、図７（ｃ）に示したように移設台本体１１の外側に設置したり、図７（ｄ）に示したように移設台本体１１の外側に形成した凹所に設置すればよい。勿論、移設台本体１１の空間１３側に、上述の図７（ｃ），（ｄ）に示した形態に設置してもよい。さらには、本実施例での図示は省略するが、車輪１１ｃにサスペンション機構を設けて、移設台本体１１が防水パン５の台座上の定位置に載置（セット）された移設台本体１１上に洗濯機などの物品が乗って重量が掛かるまで、車輪１１ｃが移設台本体１１の底面より突出しているようにしてもよい。
【００５１】
図９は、移設台１０および台座１４を、防水パン５の台座５ａ、台座５ｂ、台座５ｃ、台座５ｄの上面に設置した状態を示している。
【００５２】
この移設台１０および台座１４を用いることで、防水パン５の前方に設置する引出し台１の延伸台３の脚部３ｂ（図１を参照）を、防水パン５の台座５ａ、台座５ｂ、台座５ｃ、台座５ｄに設置した移設台１０および台座１４が有するそれぞれの空間１３および空間１５内で、各台座（台座５ａ、台座５ｂ、台座５ｃ、台座５ｄ）の上面に設置できる。これにより、延伸台３の各々は、台座５ａおよび台座５ｃと、台座５ｂおよび台座５ｄとの上面に、移設台１０および台座１４が有するそれぞれの空間１３および空間１５内を通過した状態でそれぞれ架設される。そして、引出し台１のキャリッジ４は、該引出し台本体２の走路２ａおよび延伸台３の走路３ａ上を進退移動することができる。図９は、引出し台１のキャリッジ４が延伸台３側に位置している状態を示す。
【００５３】
図１０は、延伸台３を引き起こすためのテープ１７を、該延伸台３の先端に取り付けている引出し台１を示しおり、キャリッジ４の上に洗濯機１６が載っている場合は、該テープ１７を固定具１８（例えば、マグネット）によって洗濯機１６に固定しておく。そして、上述のテープ１７を引っ張ることにより、防水パン５の上（台座上）に設置している延伸台３を引き起こすことができる。勿論、防水パン５の上（台座上）に倒設する際にも使用できる。なお、テープ１７は、ＡＢＳなどの可撓性を有する薄い帯状の樹脂素材から形成するのがよい。
【００５４】
図１１−１〜４は、防水パン上の洗濯機を引き出す際の一実施例を示しており、図に従い、洗濯機の引き出す工程を説明する。なお、図１も合わせて参照されたい。
【００５５】
図１１−１（ａ）は、洗濯機１６が防水パン５の各台座（図１を参照）の上に載置されている状態を示していて、この状態の洗濯機１６を防水パン５の前方へ引き出す。
【００５６】
図１１−１（ｂ）は、図１１−１（ａ）に示される状態から、洗濯機１６の左右前脚１６ａを支点に該洗濯機１６を前方に傾け、上方に上がった洗濯機１６の左右後脚１６ｂと左右台座との間に該移設台１０をそれぞれ設置し、該移設台１０の上に洗濯機１６の左右後脚１６ｂを降ろした状態を示している。なお、移設台１０の設置は、操作体１２を適宜操作して行い、また、移設台１０の空間１３の通過方向を洗濯機１６の前後方向に合わせる。
【００５７】
図１１−２（ｃ）は、図１１−１（ｂ）に示される状態から、洗濯機１６の左右後脚１６ｂを支点に該洗濯機１６の前側を上方に上げ、上方に上がった洗濯機１６の左右前脚１６ａと左右台座との間に台座１４をそれぞれ設置し、該台座１４の上に洗濯機１６の左右前脚１６ａを降ろした状態を示している。なお、台座１４の設置は、台座１４の空間１５の通過方向を洗濯機１６の前後方向に合わせる。ここまでの工程が終了すると、洗濯機１６が移設台１０と台座１４との上面に載った状態になる。
【００５８】
図１１−２（ｄ）は、洗濯機１６を防水パン５の前方に引き出すための引出し台１を、該防水パン５にセットする工程で、図１１−２（ｃ）の状態から引き続き行われものであり、引出し台１における引出し台本体２の端部に接続された延伸台３が、防水パン５の各台座上に設置された移設台１０の空間１３および台座１４の空間１５内を通過して、該延伸台３が各台座上に設置された状態を示している。すなわち、引出し台１の引出し台本体２は、防水パン５の前方に位置され、引出し台本体２に接続する延伸台３は、防水パン５の各台座上に位置され、また、引出し台本体２にキャリッジ４が配置される。なお、引出し台本体２は、床面固定具９によって床面８に固定される。
【００５９】
図１１−２（ｅ）は、図１１−２（ｄ）に示される状態から、引出し台本体２の上（走路２ａ上）に位置するキャリッジ４を、延伸台３の上（走路３ａ上）に移動させた状態を示している。なお、実施例では、固定具７によってキャリッジ４を走路３ａ上に固定している。
【００６０】
図１１−３（ｆ）は、図１１−２（ｅ）に示される状態から、洗濯機１６の左右後脚１６ｂを支点に該洗濯機１６の前側を上方に上げ、洗濯機１６の左右前脚１６ａが載っていたそれぞれの台座１４を撤去し、洗濯機１６の左右前脚１６ａをキャリッジ４の上面に降ろした状態を示している。
【００６１】
図１１−３（ｇ）は、図１１−３（ｆ）に示される状態から、洗濯機１６の左右前脚１６ａを支点に該洗濯機１６を前側に傾けて該洗濯機１６の左右後脚１６ｂを上方に上げ、洗濯機１６の左右後脚１６ｂが載っていたそれぞれの移設台１０を撤去し、洗濯機１６の左右後脚１６ｂをキャリッジ４の上面に降ろした状態を示している。
【００６２】
図１１−３（ｈ）は、図１１−３（ｇ）に示される状態から、延伸台３の上（走路３ａ上）に固定されているキャリッジ４の固定具７を取り外し、延伸台３の上（走路３ａ上）のキャリッジ４を、引出し台本体２の上（走路２ａ上）に移動させている状態を示している。
【００６３】
図１１−４（ｉ）は、図１１−３（ｈ）に示される状態から、延伸台３の上（走路３ａ上）に位置するキャリッジ４を、引出し台本体２の上（走路２ａ上）に移動させた状態を示している。なお、引出し台本体２の上（走路２ａ上）に移動させたキャリッジ４は、固定具７によって走路２ａ上に固定している。ここまでの工程が終了すると、洗濯機１６が防水パン５の前方へ引き出された状態になり、防水パン５の排水トラップの清掃や点検また交換、防水パン内の清掃や点検などのメンテナンス作業を実施できる。
【００６４】
図１１−４（ｊ）は、防水パン５の前方へ引き出された洗濯機１６を別の場所に移動させて、防水パン５の前を広く開けなければならないときや、洗濯機１６を交換する際などに行われる工程で、図１１−４（ｉ）に示される状態から引き続き行われものであり、延伸台３を引出し台本体２の上方側に回転させ、すなわち、上方に跳ね上げて保持している状態を示している。
【００６５】
図１１−４（ｋ）は、図１１−４（ｊ）に示される状態から、引出し台本体２の床面固定具９を解除して、床面８上を移動させている状態の引出し台本体２を示している。
【００６６】
なお、移設台１０は、防水パンの上に設置されている洗濯機を上方に上げ、該防水パンのメンテナンス作業を行う際に用いる嵩上げ台として使用することもできる。
【符号の説明】
【００６７】
１…引出し台
２…引出し台本体
２ａ…走路
２ｂ…キャスタ
２ｃ…係合部
３…延伸台
３ａ…走路
３ｂ…脚部
３ｃ…接続具
４…キャリッジ
４ａ…車輪
５…防水パン
５ａ…台座
５ｂ…台座
５ｃ…台座
５ｄ…台座
６…接続具
７…固定具
８…床面
９…床面固定具
１０…移設台
１１…移設台本体
１１ａ…上面端
１１ｂ…摺動端
１１ｃ…車輪
１２…操作体
１２ａ…基部
１２ｂ…方向表示突条
１３…空間
１４…台座
１５…空間
１６…洗濯機
１６ａ…前脚
１６ｂ…後脚
１７…テープ
１８…固定具
【図１】
2018027204.tif 000003
【図２】
2018027204.tif 000004
【図３】
2018027204.tif 000005
【図４】
2018027204.tif 000006
【図５】
2018027204.tif 000007
【図６】
2018027204.tif 000008
【図７】
2018027204.tif 000009
【図８】
2018027204.tif 000010
【図９】
2018027204.tif 000011
【図１０】
2018027204.tif 000012
【図１１−１】
2018027204.tif 000013
【図１１−２】
2018027204.tif 000014
【図１１−３】
2018027204.tif 000015
【図１１−４】
2018027204.tif 000016